(57)【要約】【課題】封印状態を維持したままでは、プリンタ本体の外部からも内部からも回路基板に実装したメモリを取り外すことができず、メモリに記憶したデータを確実に保護できるプリンタを提供すること。【解決手段】保護情報を記憶するメモリ１０が実装され、メモリ１０の部分がプリンタ本体のベースフレーム５から突出した回路基板８と、内部に回路基板８の突出部分８ｂを収納して、ベースフレーム５にネジ１４で固定された回路基板ケース４と、回路基板８を貫通する筒状部１８及びメモリ１０を覆うカバー部１９を有する回路基板ホルダ１７と、ネジ１４の頭部を覆う規制部材１５を備え、破壊によって除去できる固定ピン２２で規制部材１５及び回路基板ケース４を貫通し、固定ピン２２の先端部を筒状部１８に挿入してある。【選択図】図４
2013208755.tif 000002
【特許請求の範囲】
【請求項１】
印字機能を備えたプリンタ本体と、保護情報を含むデータを記憶するメモリが実装されて前記プリンタ本体の内部に収納される回路基板と、前記プリンタ本体のフレームにネジで固定される回路基板ケースと、前記回路基板を保持する回路基板ホルダと、前記ネジの頭部を覆って該ネジの操作を防止する規制部材とを有するプリンタにおいて、
前記回路基板は、前記メモリの実装部分が前記フレームから突出し、
前記回路基板ケースは、前記回路基板の前記フレームから突出した部分を収納し、
前記回路基板ホルダは、前記回路基板を貫通するとともに穴が形成された筒状部と、前記メモリを覆うカバー部とを有し、前記筒状部で前記回路基板を保持し、
破壊しないと取り外し不可能な封印部材が前記規制部材及び回路基板ケースを貫通するとともに、その先端部を前記穴に挿入して取り付けられていることを特徴とするプリンタ。
【請求項２】
前記封印部材は、前記回路基板ケースの内面に当接する抜け止め突起を有する固定ピンであることを特徴とする請求項１に記載のプリンタ。
【請求項３】
前記規制部材は、外面に筒状突起が形成され、前記封印部材は、前記筒状突起の内部において前記規制部材及び回路基板ケースを貫通し、先端部が前記穴に螺合される固定ネジと、破壊しないと取り外し不可能な蓋から成り、前記蓋が前記筒状突起を閉鎖することを特徴とする請求項１に記載のプリンタ。
【発明の詳細な説明】
【技術分野】
【０００１】
本発明は、収納された回路基板のメモリに、改ざんされては困る会計情報等の保護情報を記憶するプリンタに関する。
【背景技術】
【０００２】
様々な情報を印刷するプリンタには、印刷内容等に関するデータを記憶するメモリが実装された回路基板を搭載してある。特に、キャッシュレジスターのような会計情報を処理する装置に接続されたプリンタでは、搭載された回路基板のメモリに会計情報が記憶される。
【０００３】
会計情報を改ざんされないよう確実に保護するために、メモリが実装された回路基板を封印し、封印を破らずにはメモリを取り外すことができないようにしたプリンタが種々知られている。
【０００４】
例えば、特許文献１には、プリンタに入力された情報を記憶するメモリが実装されたインターフェイス基板をインターフェイス基板カバーで支持し、インターフェイス基板カバーをベースフレームの底に設けた底板へ封印用ネジによって固定したプリンタが記載されている。
【０００５】
このプリンタでは、封印用ネジの封印を破ってネジを外し、インターフェイス基板カバーを底板から取り外さなければ、プリンタ外部からインターフェイス基板上のメモリに接近することができないので、メモリに記憶されたデータは一応保護されている。
【０００６】
しかし、封印用ネジを外さなくても、ベースフレームの内側からはインターフェイス基板及びこれに実装されたメモリを取り外すことができるので、メモリに記憶されたデータが確実に保護されているとはいえない。
【先行技術文献】
【特許文献】
【０００７】
【特許文献１】特開２００７-２４２９１号公報
【発明の概要】
【発明が解決しようとする課題】
【０００８】
本発明が解決しようとする課題は、封印状態を維持したままでは、プリンタ本体の外部からも内部からも回路基板に実装したメモリを取り外すことができず、メモリに記憶した改ざんされたくない保護情報を確実に保護することができるプリンタを提供することにある。
【課題を解決するための手段】
【０００９】
本発明のプリンタは、印字機能を備えたプリンタ本体と、保護情報を含むデータを記憶するメモリが実装されて前記プリンタ本体の内部に収納される回路基板と、前記プリンタ本体のフレームにネジで固定される回路基板ケースと、前記回路基板を保持する回路基板ホルダと、前記ネジの頭部を覆って該ネジの操作を防止する規制部材とを有するプリンタにおいて、前記回路基板は、前記メモリの実装部分が前記フレームから突出し、前記回路基板ケースは、前記回路基板の前記フレームから突出した部分を収納し、前記回路基板ホルダは、前記回路基板を貫通するとともに穴が形成された筒状部と、前記メモリを覆うカバー部とを有し、前記筒状部で前記回路基板を保持し、破壊しないと取り外し不可能な封
印部材が前記規制部材及び回路基板ケースを貫通するとともに、その先端部を前記穴に挿入して取り付けられている。
【００１０】
前記封印部材は、前記回路基板ケースの内面に当接する抜け止め突起を有する固定ピンとすることがある。
【００１１】
或いは、前記規制部材は、外面に筒状突起が形成され、前記封印部材は、前記筒状突起の内部において前記規制部材及び回路基板ケースを貫通し、先端部が前記穴に螺合される固定ネジと、破壊しないと取り外し不可能な蓋から成り、前記蓋が前記筒状突起を閉鎖することがある。
【００１２】
なお、本発明において、保護情報とは、会計情報のような改ざんされては困る保護されるべき情報をいう。
【発明の効果】
【００１３】
本発明のプリンタによれば、プリンタ本体の外部から、ネジを外して回路基板ケースを取り外し、回路基板に実装されたメモリを露出させるためには封印部材を破壊する必要があり、また、プリンタ本体の内側からは、回路基板ホルダのカバー部で覆われたメモリに接近することができないので、回路基板上のメモリに記憶された保護情報を改ざんされないよう確実に保護することができる。
【図面の簡単な説明】
【００１４】
【図１】本発明の実施例１を示すプリンタの背面側斜視図である。
【図２】本発明の実施例１に係るベースフレームおよび回路基板ケースの斜視図である。
【図３】本発明の実施例１を示すプリンタの要部断面図である。
【図４】図３の一部拡大図である。
【図５】本発明の実施例２を示すプリンタの要部拡大断面図である。
【発明を実施するための形態】
【００１５】
以下、本発明の実施形態を図面に基づいて詳細に説明する。
【００１６】
図１〜図４は、本発明の実施例１を示す。
【００１７】
実施例１のプリンタ１は、キャッシュレジスターのコンピュータに接続され、キャッシュレジスターのコンピュータから入力された商品販売に関するデータ（商品名、商品の価格、課税額、販売日時、販売員の名前等）を、内蔵する印字装置でロール状の感熱紙に印刷し、印刷された部分を排紙口２からレシートとして発行する。
【００１８】
プリンタ１は、印字機能を備えたプリンタ本体３と、プリンタ本体３の背面下部に装着された回路基板ケース４を備える。
【００１９】
プリンタ本体３は、ベースフレーム５（図２）及び上部フレームより成るフレームの外面をプリンタカバー６で覆って外観が略箱状に形成される。図示しないが、プリンタ本体３の内部において、ベースフレーム５の上方には、印字装置、感熱紙、カッター等が収納されている。
【００２０】
図３及び図４に示すように、ベースフレーム５の底には底板７が設けられ、ベースフレーム５の内部に収納された回路基板８が底板７に基板止めネジ９で固定されている。この基板止めネジ９は、プリンタ本体３の内部から比較的容易に外すことができる。
【００２１】
回路基板８の一端部はベースフレーム５の背面側端部から外部へ突出している。回路基板８のベースフレーム５内に収納されている基板本体部分８ａには、プリンタ１の印刷機能に関する様々な処理を行なう回路が実装されている。
【００２２】
また、回路基板８のベースフレーム５から突出した突出部分８ｂには、プリンタ１をキャッシュレジスターのコンピュータに接続するための回路、キャッシュレジスターのコンピュータから入力された会計情報を含むデータを記憶するメモリ１０等が実装されている。
【００２３】
回路基板８には、基板本体部分８ａと突出部分８ｂとの境界部に嵌合孔１１が形成されている。回路基板８をベースフレーム５内に収納する際に、底板７の背面側端部に形成した位置決め突起１２を嵌合孔１１へ嵌合することにより、回路基板８がベースフレーム５に対して位置決めされ、突出部分８ｂが正確な長さだけベースフレーム５から突出する。
【００２４】
回路基板ケース４は、内部に回路基板８の突出部分８ｂを収納してベースフレーム５に固定される。
【００２５】
回路基板ケース４のベースフレーム５と逆側の面には、回路基板８上の回路とキャッシュレジスターのコンピュータを接続するための端子２５が設置されている（図１及び図２参照）。
【００２６】
回路基板ケース４のベースフレーム５側の端面は開口し、開口端面の上端に起立片１３が形成される。そして、回路基板ケース４の開口端面から内部に回路基板８の突出部分８ｂを挿入し、起立片１３をベースフレーム５の背面に重ねて外部から複数のネジ１４をねじ込むことにより、回路基板ケース４がプリンタ本体３に固定される。
【００２７】
なお、回路基板ケース４の下端は、ベースフレーム５の背面下端部に形成された係合突起２４に引っ掛けてある。
【００２８】
回路基板ケース４の上面には、少なくとも１本のネジ１４の頭部を覆ってその操作を防止する規制部材１５が取り付けられる。
【００２９】
規制部材１５は、回路基板ケース４を切り起こして形成された一対の抑え片３０の間に係合して位置決めされる。規制部材１５の端部には、ネジ１４の頭部を背面側及び両側から覆う被覆部１６が形成されている。
【００３０】
従って、規制部材１５を取り除かない限り、ネジ１４を回して外し、回路基板ケース４をベースフレーム５から分離して回路基板８の突出部分８ｂを露出させることはできない。
【００３１】
回路基板ケース４の内部において、回路基板８の突出部分８ｂに形成された位置決め孔３１に回路基板ホルダ１７の筒状部１８が貫通して係合している。筒状部１８の中間部は、回路基板８の上面が引っかかって抜けないよう大径となっている。筒状部１８の中心には、挿入穴１８’が上端から軸方向に沿って形成されている。
【００３２】
また、回路基板ホルダ１７は、回路基板８の上面に実装されたメモリ１０を覆うカバー部１９を有する。カバー部１９は、メモリ１０の上方を覆う上板２０の両側及びベースフレーム５側にそれぞれ側壁２１を形成して成り、カバー部１９を貫通するように筒状部１８が一体に形成されている。
【００３３】
従って、筒状部１８を回路基板８から引き抜かない限り、カバー部１９を外してメモリ１０を露出させることはできない。
【００３４】
実施例１のプリンタ１では、固定ピン２２より成る封印部材で回路基板ケース４の上面部及び規制部材１５を貫通し、固定ピン２２の先端部を筒状部１８の挿入穴１８’に挿入してある。
【００３５】
筒状部１８の挿入穴１８’の直上において、回路基板ケース４の上面部に貫通孔４’が形成されると共に、規制部材１５に貫通孔１５’が形成され、これら貫通孔１５’，４’に固定ピン２２を上方から通してある。
【００３６】
固定ピン２２は、プラスチック等の比較的簡単に破壊できる素材より成り、軸部の外周中間部には抜け止め突起２３が形成されている。抜け止め突起２３は、上方が幅広いテーパー状の断面を有し、上方から押し込んで貫通孔１５’，４’を通過させることはできるが、いったん通過してしまうと、抜け止め突起２３の上端が回路基板ケース４の内面に当接して、貫通孔１５’，４’から固定ピン２２を引き抜くことはできない。
【００３７】
回路基板ケース４を外すには、固定ピン２２を抜け止め突起２３が回路基板ケース４の内面に当接するまで引き上げ、固定ピン２２の頭部を切除する。
【００３８】
すると、規制部材１５及び回路基板ケース４を、固定ピン２２の残った軸部から抜いて取り外すことができる。
【００３９】
このように、回路基板８と、回路基板８を貫通しメモリ１０を覆う回路基板ホルダ１７と、回路基板８を収納した回路基板ケース４と、ネジ１４を覆う規制部材１５を固定ピン２２で相互に結合してあるので、固定ピン２２を破壊しないと、規制部材１５を取り除いてネジ１４を外すことができず、回路基板ケース４を回路基板８から分離することもできず、回路基板ホルダ１７を取り除いてメモリ１０を露出させることもできない。
【００４０】
このため、破損したメモリ１０を交換したり、定期的にメモリ１０用の電池を交換するために、固定ピン２２を破壊して回路基板ケース４を外すまでは、回路基板ケース４の外部からも、プリンタ本体３の内部からもメモリ１０を取り外すことはできない。
【００４１】
図５は、本発明の実施例２を示す。
【００４２】
実施例２では、筒状部１８の中心に、ネジ穴１８”が上端から軸方向に沿って形成される。規制部材１５の外面には、貫通孔１５’を囲むように筒状突起２６が形成されている。
【００４３】
また、封印部材は、規制部材１５の貫通孔１５’及び回路基板ケース４の貫通孔４’に挿通されて、先端部が筒状部１８のネジ穴１８”に螺合される固定ネジ２７と、筒状突起２６を閉鎖するパテ状の蓋２８から成る。
【００４４】
固定ネジ２７の頭部の外径は、筒状突起２６の内径よりやや小さい。
【００４５】
蓋２８は、軟質金属等の脆い塑性材料を素材とする。
【００４６】
この封印部材を用いて回路基板ホルダ１７、回路基板ケース４及び規制部材１５を結合するには、固定ネジ２７を上方から貫通孔１５’，４’に通し、固定ネジ２７の先端部を
筒状部１８のネジ穴１８”に螺合した後、筒状突起２６に軟質金属等の塑性材料を押し込み、筒状突起２６の上端部を包むように変形させて筒状突起２６を閉鎖する蓋２８を形成する。
【００４７】
蓋２８は、塑性変形させて筒状突起２６を塞いでいるため、破壊して除去しないと固定ネジ２７の頭部を露出させて操作することができず、固定ネジ２７を外さないと、規制部材１５、回路基板ケース４及び回路基板ホルダ１７を取り外すこともできない。
【００４８】
その他の構成は実施例１と同様である。
【符号の説明】
【００４９】
１          プリンタ
２          排紙口
３          プリンタ本体
４          回路基板ケース
４’        貫通孔
５          ベースフレーム
６          プリンタカバー
７          底板
８          回路基板
８ａ        基板本体部分
８ｂ        突出部分
９          基板止めネジ
１０        メモリ
１１        嵌合孔
１２        位置決め突起
１３        起立片
１４        ネジ
１５        規制部材
１５’      貫通孔
１６        被覆部
１７        回路基板ホルダ
１８        筒状部
１８’      挿入穴
１８”      ネジ穴
１９        カバー部
２０        上板
２１        側壁
２２        固定ピン
２３        抜け止め突起
２４        係合突起
２５        端子
２６        筒状突起
２７        固定ネジ
２８        蓋
３０        抑え片
３１        位置決め孔
【図１】
2013208755.tif 000003
【図２】
2013208755.tif 000004
【図３】
2013208755.tif 000005
【図４】
2013208755.tif 000006
【図５】
2013208755.tif 000007